(57)【要約】      （修正有）【課題】雨天時においても、雨の浸入を極力抑えて所定位置にロール紙を容易に装填することが可能な携帯型プリンタを提供する。【解決手段】ロール紙６を着脱自在に且つ回転可能に収容するロール紙収容カートリッジ２と、ロール紙収容カートリッジ２を出し入れする開口部及びこれに続いて形成されたカートリッジ収容部５を備えたプリンタ本体３とを備える。プリンタ本体３には、ロール紙収容カートリッジ２のロール紙６を引き出す引出口２４と対峙する壁面にロール紙６を送出する送出口９が形成され、この送出口９と引出口２４との間に、引出口２４から引き出されるロール紙６の搬送経路を挟んで印字部７とロール紙搬送用のローラ８とを対向配置させ、ロール紙収容カートリッジ２をカートリッジ収容部５に装填した場合にローラ８でロール紙６を印字部７に押し付ける。【選択図】図３
2015039829.tif 000002
【特許請求の範囲】
【請求項１】
ロール紙を記録用紙として装填して用いる携帯型プリンタであって、
前記ロール紙を着脱自在に且つ回転可能に収容するロール紙収容カートリッジと、
前記ロール紙収容カートリッジを前記ロール紙の軸方向に沿って出し入れする開口部、及び、この開口部に続いて形成され、前記ロール紙収容カートリッジを収容するカートリッジ収容部を備えたプリンタ本体とを有し、
前記プリンタ本体には、前記カートリッジ収容部に収容された前記ロール紙収容カートリッジの前記ロール紙が引き出される引出口と対峙し、前記ロール紙を外部に送出する送出口が形成され、
前記引出口と前記送出口との間には、前記引出口から引き出されるロール紙の搬送経路を挟んで印字部とロール紙搬送用のローラとが対向配置され、
前記ロール紙収容カートリッジを前記カートリッジ収容部に装填した場合に前記ローラによって前記印字部との間に配されたロール紙を前記印字部に押し付ける付勢機構を具備することを特徴とする携帯型プリンタ。
【請求項２】
前記プリンタ本体の内部には、前記ロール紙収容カートリッジを前記引出口から前記ロール紙を引き出した状態で前記カートリッジ収容部に装填できるようにするために、前記ロール紙の先端を前記印字部と前記ローラとの間に導く間隙を備えたガイド壁が設けられていることを特徴とする請求項１記載の携帯型プリンタ。
【請求項３】
前記ロール紙収容カートリッジは、前記ロール紙を収容する上部が開放された収容ケース本体とこの収容ケース本体の上部の開放部分を開閉する上蓋とを有して構成され、前記上蓋を閉じることで、前記上蓋と前記収容ケース本体の壁部との間に前記引出口が形成されることを特徴とする請求項１又は２記載の携帯型プリンタ。
【請求項４】
前記ロール紙収容カートリッジの挿入端とは反対側の端部に、前記開口部との間をシールするシール部材が設けられていることを特徴とする請求項１乃至３のいずれかに記載の携帯型プリンタ。
【発明の詳細な説明】
【技術分野】
【０００１】
本発明は、検針用ハンディターミナル用等として用いられる携帯型のプリンタに関し、ロール紙を記録用紙として装填して用いる携帯型プリンタに関する。
【背景技術】
【０００２】
電気やガスなどの使用量の検針業務においては、主として屋外で使用するハンディターミナルと組み合わせて用いる分離型のプリンタが多用されている。このハンディターミナル用のプリンタ（ 以下、「携帯型プリンタ」とよぶ） は、特許文献１，２等に示されるように、ロール状の用紙を収納する給紙部と、この給紙部から供給される用紙に印字する印字部と、印字の際に用紙を保持するローラ（ローラ）とを備え、ケーシングの一部には、用紙送出用の送出口が設けられており、データの集計結果などの情報を印刷したロール紙を送出口から外部へ送出するようにしている。
【０００３】
また、ケーシングには、ロール紙を補給するための回動蓋が回動可能に設けられ、この回動蓋を開くことにより、送出口を大きく開口させてケーシング内部にロール紙を補充できるようになっている。
（特許文献１、２等参照）。
【先行技術文献】
【特許文献】
【０００４】
【特許文献１】特開２００６−１６８０５５号公報
【特許文献２】特開２０１０−１８８６８９号公報
【発明の概要】
【発明が解決しようとする課題】
【０００５】
しかしながら、この種の携帯型プリンタは、ロール紙の交換作業を屋外で行うことが多いため、雨天時に回動蓋を開けてロール紙を補給しようとすると、プリンタの本体内に雨が浸入し、ロール紙を濡らしたり、機器が故障したりする恐れがある。このような事態を防ぐためには、軒下などの雨を避けられる場所まで移動して交換作業を行う必要があり、検針作業を効率よく行えない不都合がある。
【０００６】
また、ロール紙をプリンタ本体内に装填する作業においては、ロール紙の先端が印字部に給紙されるようにロール紙の先端位置を微調整する必要があり、雨天時においては、時間をかけて装填することができないため、ロール紙の装填状態がうまくいかず、皺になった状態で装填されると紙詰まりの原因となる。
【０００７】
本発明は、かかる事情に鑑みてなされたものであり、上述した不都合を解消し、雨天時においても、雨の浸入を極力抑えて所定位置にロール紙を容易に装填することが可能な携帯型プリンタを提供することを主たる課題としている。
【課題を解決するための手段】
【０００８】
上記課題を達成するために、本発明に係る携帯型プリンタは、ロール紙を記録用紙として装填して用いる携帯型プリンタであって、前記ロール紙を着脱自在に且つ回転可能に収容するロール紙収容カートリッジと、前記ロール紙収容カートリッジを前記ロール紙の軸方向に沿って出し入れする開口部、及び、この開口部に続いて形成され、前記ロール紙収容カートリッジを収容するカートリッジ収容部を備えたプリンタ本体とを有し、前記プリンタ本体には、前記カートリッジ収容部に収容された前記ロール紙収容カートリッジの前記ロール紙が引き出される引出口と対峙し、前記ロール紙を外部に送出する送出口が形成され、前記引出口と前記送出口との間には、前記引出口から引き出されるロール紙の搬送経路を挟んで印字部とロール紙搬送用のローラとが対向配置され、前記ロール紙収容カートリッジを前記カートリッジ収容部に装填した場合に前記ローラによって前記印字部との間に配されたロール紙を前記印字部に押し付ける付勢機構を具備することを特徴としている。
【０００９】
したがって、ロール紙を引出口から少し引出した状態でロール紙収容カートリッジに予め装填しておき、プリンタ本体にロール紙を補充する場合には、ロール紙が無くなったカートリッジをプリンタ本体から取り外し、ロール紙が装填されたロール紙収容カートリッジをそのままプリンタ本体に装填すれば、付勢機構によりロール紙がローラによって印字部に押し付けられるので、そのままロール紙に印字させることができる状態となり、短時間でロール紙の補給作業を完了させることが可能となる。
また、ロール紙を補給するために回動蓋を開放させる操作が不要となるので、ロール紙補給時に雨がケーシング内に浸入する恐れを低減することが可能となる。
【００１０】
ここで、プリンタ本体の内部には、前記ロール紙収容カートリッジを前記引出口から前記ロール紙を引き出した状態で前記カートリッジ収容部に装填できるようにするために、前記ロール紙の先端を前記印字部と前記ローラとの間に導く間隙を備えたガイド壁を設けることが望ましい。
このような構成とすることで、印字部とロール紙搬送用のローラとの間にロール紙の先端部をロール紙収容カートリッジの装填時に容易に導くことが可能となる。
【００１１】
また、前記ロール紙収容カートリッジは、前記ロール紙を収容する上部が開放された収容ケース本体とこの収容ケース本体の上部の開放部分を開閉する上蓋とを有して構成され、前記上蓋を閉じることで、前記上蓋と前記収容ケース本体の壁部との間に前記ロール紙の引出口が形成されることが好ましい。
このようなロール紙収容カートリッジ構造を採用することで、ロール紙をカートリッジを少し出した状態でセットしやすくなり、作業効率を高めることが可能となる。
【００１２】
なお、前記ロール紙収容カートリッジの挿入端とは反対側の端部に、前記開口部との間をシールするシール部材を設けることが好ましい。
このような構成とすることで、ケーシングの開口部とロール紙収容カートリッジの端部との隙間から雨水が浸入することを防ぐことが可能となる。
【発明の効果】
【００１３】
以上述べたように、本発明によれば、ロール紙を着脱自在に且つ回転可能に収容するロール紙収容カートリッジをケーシングに設けられたカートリッジ収容部に装填できるようにし、ロール紙収容カートリッジをカートリッジ収容部に装填した場合に、ロール紙がローラによって印字部に押し付けられるので、ロール紙を所定位置に容易に装填することが可能となり、短時間でロール紙の補給作業を完了させることが可能となる。しかも、従来のように回動蓋を開閉させる必要がないので、雨天時のロール紙の補給作業においても、雨がプリンタ本体内に侵入することを極力防ぐことが可能となる。
【図面の簡単な説明】
【００１４】
【図１】図１は、本発明に係る携帯型プリンタを示す図であり、ロール紙収容カートリッジをプリンタ本体に装着する前の状態を示す斜視図である。
【図２】図２は、プリンタ本体にロール紙収容カートリッジを取り付ける前の状態を示す図であり、プリンタ本体の開口部側から見た図である。
【図３】図３は、本発明に係る携帯型プリンタの断面図であり、（ａ）はプリンタ本体にロール紙収容カートリッジを装填する前の状態を示す図、（ｂ）はプリンタ本体にロール紙収容カートリッジを装填した状態を示す図である。
【図４】図４は、ロール紙収容カートリッジを示す斜視図であり、（ａ）はロール紙収容カートリッジの外観を示す図、（ｂ）は、ロール紙収容カートリッジにロール紙を収容する作業を説明する説明図である。
【発明を実施するための形態】
【００１５】
以下、本発明に係る携帯型プリンタを添付図面を参照しながら説明する。
【００１６】
図１乃至図３において、携帯型プリンタ１は、長尺状のロール紙を収納するロール紙収容カートリッジ２と、このロール紙収容カートリッジ２を装填可能とするプリンタ本体３とを有して構成されている。
【００１７】
プリンタ本体３は、直方体状に形成されたケーシング４内に、ロール紙収容カートリッジ２を収容するカートリッジ収容部５と、このロール紙収容カートリッジ２から供給されるロール紙６に各種情報を印字する印字部７と、印字の際にロール紙６を保持すると共にロール紙６を搬送するローラ８とを有している。
【００１８】
プリンタ本体３の正面には、印字後のロール紙６をケーシング４の外部へ送出する送出口９が設けられ、ケーシング４の送出口９の前方には、上方から送出口９への雨水の浸入を阻止する庇１０が設けられている。
【００１９】
前記印字部は、ケーシング内の前記送出口９の近傍上部に、印字ヘッドを下方に向けて固定され、前記ローラ８は、印字部７の下方において上下動可能に配置されている。なお、送出口９又はその近傍には、送出口９から送出される印字後のロール紙をカットする図示しないカッタを備えるようにしてもよい。
【００２０】
ケーシング４の一方の側面には、カートリッジ収容部５にロール紙収容カートリッジ２を導入するための開口部１１がカートリッジ収容部５に臨むように形成され、また、カートリッジ収容部５には、ロール紙収容カートリッジ２を載置収容する装填台１２が設けられている。
【００２１】
この装填台１２は、ロール紙収容カートリッジ２の挿入方向に移動可能に設けられているもので、通常においては、図示しないスプリングにより開口部１１側へ常時付勢され、ロール紙収容カートリッジ２を開口部１１から挿入して載置させた状態で押し込んだ場合に、スプリングに抗して開口部１１から遠ざかるようになっている。
【００２２】
前記ローラ８は、ローラ保持具１３に回転可能に取り付けられているもので、このローラ保持具１３は、装填台１２の動きに連動するリンク機構１５を介して装填台１２の動きに伴って上下動するようになっている。具体的には、装填台１２が開口部１１に近接する場合には、ローラ保持具１３がリンク機構１５により印字部７から遠ざかるように下方へ動かされ、装填台１２が開口部１１から遠ざかると、ローラ保持具１３がリンク機構により印字部に近接するように上方へ動かされるようになっている。
また、ケーシング内の開口部１１近傍には、前記印字部７とローラ８との間にロール紙の先端を導くための間隙１６が形成されたガイド壁１７が設けられている。
【００２３】
ロール紙収容カートリッジ２は、図４に示されるように、上部が開放された直方体形状のロール紙を収容する収容ケース本体２１と、この収容ケース本体２１の上部の開放部分を開閉する上蓋２２とを有して構成されている。収容ケース本体２１内には、対をなすガイド板２３が中央に突設された支持突起２３ａを互いに向い合せながらロール紙６の巾に合わせた間隔で対向配置されている。ロール紙６をロール紙収容カートリッジ２に装填する場合には、ロール紙６を対をなすガイド板２３の間に配置し、ロール紙６の軸中心に設けられた中心孔６ａにガイド板２３の支持突起２３ａを挿入し回転自在な状態にして収容する。
【００２４】
上蓋２２は、収容ケース本体２１の開口部の形状に合わせて矩形状に形成されているもので、長手方向両側のそれぞれの側辺の一端近傍には、上蓋２２の長手方向に沿って突設された支軸２２ａが設けられ、収容ケース本体２１の開放端周縁の対応箇所には（ロール紙収容カートリッジ２の挿入端側の側壁２１ｄと挿入端と反対側の側壁２１ｃの上端角部には）、前記支軸２２ａを回転自在に挿入する軸受孔２１ａが形成され、上蓋２２が支軸２２ａを中心として回動し、収容ケース本体２１を開閉するようになっている。
【００２５】
また、収容ケース本体２１の上蓋２２の先端部（支軸２２ａが設けられた側と反対側の端部）と対峙する側壁２１ｂは、長手方向の両端部を除いて上端から所定の寸法だけ切り欠かれており、上蓋２２を閉じることで、上蓋２２とこの側壁２１ｂとの間に前記ロール紙６の引出口２４が形成されるようになっている。この引出口２４は、前記装填台１２に載置させてケーシング４内に収容した場合に、ケーシング４の正面に設けられた送出口９と対向するようになっており、したがって、送出口９と引出口２４との間には、引出口２４から引き出されるロール紙６の搬送経路を挟んで前記印字部７とローラ８とが上下に対向配置されるようになっている。
【００２６】
また、この例では、ロール紙収容カートリッジ２の挿入端と反対側の側壁２１ｃが、挿入端の側壁２１ｄよりケーシング４の厚み方向の巾が長く形成されており、ケーシング４の開口部１１の大きさとほぼ同じ大きさに形成させ、挿入端側の側壁２１ｄの巾が、前記装填台１２の載置面の巾と等しいかこれより幾分小さくなっている。
【００２７】
このため、引出口２４からロール紙６の先端を少し引き出した状態でロール紙収容カートリッジ２を開口部１１から挿入した場合でも、ロール紙６の先端が開口部１１の内周縁に引っ掛からず、ロール紙収容カートリッジ２を装填台１２に載置させて押し込んだ場合に、ロール紙の先端が印字部７とローラ８との間に配置され、また、ロール紙収容カートリッジ２の挿入端と反対側の側壁２１ｃによって、開口部１１が閉塞されるようになっている。
【００２８】
なお、ロール紙収容カートリッジ２の挿入端と反対側の側壁２１ｃの外周面または周縁には、Ｏリングやグロメット等のシール部材２５が付設され、開口部１１を閉塞した際に開口部１１の内周面との間が気密にシールされるようになっている。
【００２９】
また、ロール紙収容カートリッジ２をカートリッジ収容部５に押し込んで側壁２１ｃでケーシング４の開口部１１を閉塞した場合に、ケーシング４の開口部１１周縁に回動可能に設けられたロックレバ２６を側壁２１ｃの外面に係止させることで、ロール紙収容カートリッジ２のケーシング４に装填された状態が保持されるようになっている。
【００３０】
以上の構成において、ケーシング内に装填されたロール紙６が無くなり、補充したい場合には、ロール紙６が無くなったロール紙収容カートリッジ２を取り外すために、プリンタ本体３（ケーシング４）のロックレバ２６を回動させてロックを解除する。すると、ロール紙収容カートリッジ２は、装填台１２を開口部１１に向かって付勢しているスプリングのバネ力により、開口部１１から押し出され、押し出されたロール紙収容カートリッジ２を引き抜いて、ロール紙がセットされた新たなロール紙収容カートリッジ２を開口部１１から挿入する。
【００３１】
この際、ロール紙収容カートリッジ２に収容されたロール紙６は、その先端を引出口２４から少し引き出した状態とし、その状態を保ちつつ、ロール紙６の先端をガイド壁１７の間隙１６を通してロール紙収容カートリッジ２を装填台１２に載置させ押し込む。これにより、ロール紙収容カートリッジ２の挿入端と反対側の側壁２１ｃによって開口部１１が閉塞され、それと同時に引出口２４から引き出されたロール紙６の先端が、印字部７とローラ８との間に配され、また、ローラ８によって印字部７に押し付けられて直ちに印字できる状態となる。
【００３２】
したがって、ロール紙６の補給作業を短時間で行うことが可能となり、また、ロール紙６を補給する際にケーシング４を大きく開口する必要がないので、ロール紙補給時に雨がケーシング内に浸入する不都合を低減することが可能となる。
【００３３】
また、ロール紙収容カートリッジの挿入端とは反対側の側壁２１ｃには、プリンタ本体３の開口部１１との間がシール部材２５によりシールされているので、ケーシング４の開口部１１とロール紙収容カートリッジ２の側壁２１ｃとの隙間から雨水が浸入することを防ぐことが可能となる。
【００３４】
さらに、上述の構成においては、ロール紙収容カートリッジ２が、上部を開放した収容ケース本体２１とこの収容ケース本体２１の上部の開放部分を開閉する上蓋２２とを有して構成され、上蓋２２を閉じることで、上蓋２２と収容ケース本体２１の側壁２１ｂとの間にロール紙６の引出口２４が形成されるので、ロール紙６をロール紙収容カートリッジ２から少し出した状態でセットしやすくなり、作業効率を高めることが可能となる。
【００３５】
なお、以上の構成においては、プリンタ本体３にロール紙収容カートリッジ２を載置する装填台１２を設け、この装填台１２とローラ８とをリンク機構１５により連動させる例を示したが、ロール紙収容カートリッジ２を収容する部分は移動（変位）しないようにし、ロール紙収容カートリッジ２が押し込まれた際に、このロール紙収容カートリッジ２に当接して変位するレバーや突起等の可動部材を設け、この可動部材の動きにローラを連動させて上述と同様の動作をさせるようにしてもよい。
【符号の説明】
【００３６】
１  携帯型プリンタ
２  ロール紙収容カートリッジ
３  プリンタ本体
５  カートリッジ収容部
６  ロール紙
７  印字部
８  ローラ
９  送出口
１５  リンク機構
１６  間隙
１７  ガイド壁
２４  引出口
【図１】
2015039829.tif 000003
【図２】
2015039829.tif 000004
【図３】
2015039829.tif 000005
【図４】
2015039829.tif 000006